(57)【要約】【課題】検出感度を向上できる光電センサーおよび生体情報測定装置を提供すること。【解決手段】光電センサー１０は、凹面鏡部２１を有する受光側反射部材２０と、支持部材３０と、支持部材３０に取り付けられた発光素子および受光素子６０とを備える。支持部材３０は、凹面鏡部２１の開口の中に位置するリフレクター部３１と、梁部４１、４２とを備える。リフレクター部３１の第一面は、発光素子が取り付けられた底面部と、斜面部とを有する凹部を備える。リフレクター部３１の第二面は、受光素子６０が取り付けられる。梁部４１、４２は、発光素子に接続された発光素子用の配線４４，４５と、受光素子６０に接続された受光素子用の配線４６，４７とを備える。【選択図】図４
2013184004.tif 000002
【特許請求の範囲】
【請求項１】
凹面鏡部を有する受光側反射部材と、
支持部材と、
前記支持部材に取り付けられた発光素子および受光素子とを備え、
前記支持部材は、
前記凹面鏡部の開口の中に位置し、前記発光素子が取り付けられる第一面および前記受光素子が取り付けられて前記第一面とは反対側の第二面を有するリフレクター部と、
前記リフレクター部から前記凹面鏡部まで延長された梁部とを備え、
前記リフレクター部の前記第一面には、前記発光素子が取り付けられた底面部と、斜面部とを有する凹部が形成され、
前記梁部には、前記発光素子に接続された発光素子用の配線と、前記受光素子に接続された受光素子用の配線とが設けられている
ことを特徴とする光電センサー。
【請求項２】
請求項１に記載の光電センサーにおいて、
前記リフレクター部の前記底面部および斜面部には、前記梁部から連続する配線が形成され、この配線と前記発光素子の端子とはボンディングワイヤーで導通され、
前記ボンディングワイヤーは、前記凹部内に配置されている
ことを特徴とする光電センサー。
【請求項３】
請求項１または請求項２に記載の光電センサーにおいて、
前記梁部は、前記リフレクター部の第一面に連続する第一面と、前記リフレクター部の第二面に連続する第二面とを備え、
前記梁部の第一面には、前記発光素子の端子に導通する配線が設けられ、この配線は梁部の側面を介して前記第二面まで延長され、
前記梁部の第二面には、前記受光素子の端子に導通する配線が設けられ、
前記受光側反射部材には、前記梁部が配置される凹溝が形成され、この凹溝の前記梁部の第二面に対向する面には、前記各配線に導通する配線が設けられ、
受光側反射部材に設けられた配線と、前記梁部に設けられた配線とは、導電性部材によって導通されている
ことを特徴とする光電センサー。
【請求項４】
請求項３に記載の光電センサーにおいて、
前記受光側反射部材は直方体状に形成され、前記凹面鏡部が開口された第一面と、この第一面に対向する第二面と、前記第一面および第二面間に配置された側面とを備え、
前記受光側反射部材の凹溝に設けられた配線は、前記凹溝から少なくとも前記側面を介して前記第二面まで連続し、前記第二面に形成された電極パッドにそれぞれ導通されている
ことを特徴とする光電センサー。
【請求項５】
請求項１から請求項４のいずれかに記載の光電センサーにおいて、
前記支持部材は、前記リフレクター部と、このリフレクター部から互いに反対方向に延長された２本の梁部とを備えて構成され、
前記一方の梁部には、前記発光素子の第一の端子に導通する配線と、前記受光素子の第一の端子に導通する配線とが設けられ、
前記他方の梁部には、前記発光素子の第二の端子に導通する配線と、前記受光素子の第二の端子に導通する配線とが設けられている
ことを特徴とする光電センサー。
【請求項６】
請求項１から請求項４のいずれかに記載の光電センサーにおいて、
前記支持部材は、前記リフレクター部と、このリフレクター部から延長された１本の梁部とを備えて構成され、
前記梁部には、前記発光素子の第一の端子および第二の端子に導通する２本の配線と、前記受光素子の第一の端子および第二の端子に導通する２本の配線とが設けられている
ことを特徴とする光電センサー。
【請求項７】
請求項１から請求項６のいずれかに記載の光電センサーと、
前記光電センサーが組み込まれた装置本体とを備え、
前記装置本体には、前記光電センサーの発光素子で発光された光と、前記受光素子で受光される光とが透過する窓が形成されている
ことを特徴とする生体情報測定装置。
【発明の詳細な説明】
【技術分野】
【０００１】
本発明は、光電センサーおよびこの光電センサーを用いた生体情報測定装置に関する。
【背景技術】
【０００２】
脈拍数等の生体情報を測定するための光電式の生体情報検出器（光電センサー）として、発光部および受光部を有するものが知られている（特許文献１）。
この生体情報検出器は、図９，１０に示すように、ポリイミド等の透明基板１００の生体側の表面にリフレクター１１０および発光素子１２０を取り付け、前記透明基板１００の裏面に受光素子１３０を取り付け、さらに、図示略の半球状の検出反射部を取り付けて構成されている。
【０００３】
ここで、リフレクター１１０は、合成樹脂やセラミックによって略円板状に形成されている。リフレクター１１０には、発光素子１２０が配置される凹部１１１が形成されている。凹部１１１は、平面状の底面１１２と、斜面１１３とを備える。発光素子１２０は、前記底面１１２に固定されている。また、斜面１１３は、反射面であるため、適宜銀メッキ等で反射率を向上させている。
発光素子１２０は、透明基板１００の表面に形成された配線１０１、１０２に対して、ボンディングワイヤー１０３，１０４で電気的に接続されている。このボンディングワイヤー１０３，１０４は、リフレクター１１０の端部を超えて配線１０１、１０２および発光素子１２０を接続している。
【０００４】
一方、透明基板１００の裏面には、２本の配線１０５、１０６が設けられ、さらに受光素子１３０が取り付けられている。配線１０５は、受光素子１３０の裏面まで配置され、受光素子１３０の端子に直接接続されている。配線１０６は、ボンディングワイヤー１０７で受光素子１３０に接続されている。
【先行技術文献】
【特許文献】
【０００５】
【特許文献１】特開２０１１−１３９７２５号公報
【発明の概要】
【発明が解決しようとする課題】
【０００６】
従来の光電センサーは、透明基板１００の裏面側に受光素子１３０が配置されているため、発光素子１２０から生体に向かって照射され、生体の血管部分で反射された光は、透明基板１００を透過してから受光素子１３０に入射する。このため、透明基板１００を光が透過することによる拡散反射が生じ、外光（ノイズ）等も受光素子１３０に入ってしまうため、光電センサーによる脈拍検出の感度が低下するという問題があった。
【０００７】
また、透明基板１００に対する配線１０１、１０２、１０５、１０６の接着性を向上させるために、基板１００の各面に微細な凹凸を形成することがある。この場合、凹凸が残っていると、血管部分で反射した光も基板表面で散乱して受光素子１３０での受光量が低下する。
一方、基板表面にレジストを塗布して表面を滑らかに処理することも行われるが、この場合は、レジスト部分で光の吸収が生じるため、やはり受光素子１３０での受光量が低下する。
従って、透明基板１００が設けられていると、その基板１００を通過する際に光の光量が２０〜３０％程度低下し、光電センサーの検出感度が低下するという問題があった。
【０００８】
本発明の目的は、検出感度を向上できる光電センサーおよび生体情報測定装置を提供することにある。
【課題を解決するための手段】
【０００９】
本発明の光電センサーは、凹面鏡部を有する受光側反射部材と、支持部材と、前記支持部材に取り付けられた発光素子および受光素子とを備え、前記支持部材は、前記凹面鏡部の開口の中に位置し、前記発光素子が取り付けられる第一面および前記受光素子が取り付けられて前記第一面とは反対側の第二面を有するリフレクター部と、前記リフレクター部から前記凹面鏡部まで延長された梁部とを備え、前記リフレクター部の前記第一面には、前記発光素子が取り付けられた底面部と、斜面部とを有する凹部が形成され、前記梁部には、前記発光素子に接続された発光素子用の配線と、前記受光素子に接続された受光素子用の配線とが設けられていることを特徴とする。
【００１０】
本発明によれば、発光素子および受光素子を支持する支持部材を、リフレクター部と梁部とを備えて構成し、前記梁部を、リフレクター部から前記受光側反射部材の凹面鏡部まで延長している。このため、リフレクター部と凹面鏡部との間は、梁部のみが配置され、その他の部分は基板の無い空間とされている。従って、発光素子から照射されて測定部位で反射した光は、従来のように発光素子や受光素子の支持基板を通過せず、リフレクター部の周囲の空間を通って凹面鏡部で反射し、受光素子で受光される。従って、従来のように、基板を通過することで反射光の光量が低下することが無くなり、受光素子での受光光量を向上でき、光電センサーの検出感度も向上できる。
【００１１】
本発明の光電センサーにおいて、前記リフレクター部の前記底面部および斜面部には、前記梁部から連続する配線が形成され、この配線と前記発光素子の端子とはボンディングワイヤーで導通され、前記ボンディングワイヤーは、前記凹部内に配置されていることが好ましい。
【００１２】
ボンディングワイヤーが凹部内に配置されていれば、つまり凹部から突出していなければ、リフレクター部の表面である第一面の全体にバックアップ用の装置を当接させることができる。このため、リフレクター部の第二面に取り付けられた受光素子と配線とをボンディングする場合に、前記第一面全体でバックアップできるので、発光素子の中心軸と受光素子の中心軸とを一致させることができる。このため、光電センサーは、発光素子から受光素子までの光学系で光学的に偏りが無く、安定した受光を行うことができる。
【００１３】
本発明の光電センサーにおいて、前記梁部は、前記リフレクター部の第一面に連続する第一面と、前記リフレクター部の第二面に連続する第二面とを備え、前記梁部の第一面には、前記発光素子の端子に導通する配線が設けられ、この配線は梁部の側面を介して前記第二面まで延長され、前記梁部の第二面には、前記受光素子の端子に導通する配線が設けられ、前記受光側反射部材には、前記梁部が配置される凹溝が形成され、この凹溝の前記梁部の第二面に対向する面には、前記各配線に導通する配線が設けられ、受光側反射部材に設けられた配線と、前記梁部に設けられた配線とは、導電性部材によって導通されていることが好ましい。
【００１４】
はんだや導電性接着剤などの導電性部材を用いて各配線を導通しているので、各配線を確実に導通できるとともに、支持部材を受光側反射部材に確実に固定でき、光電センサーを容易に組み立てて製造できる。また、梁部を受光側反射部材の凹溝に配置することで、反射鏡部の開口が形成された受光側反射部材の面（第一面）から支持部材が突出しないように組み立てることができる。このため、光電センサーを生体情報測定装置等に容易に組み込むことができる。
【００１５】
本発明の光電センサーにおいて、前記受光側反射部材は直方体状に形成され、前記凹面鏡部が開口された第一面と、この第一面に対向する第二面と、前記第一面および第二面間に配置された側面とを備え、前記受光側反射部材の凹溝に設けられた配線は、前記凹溝から少なくとも前記側面を介して前記第二面まで連続し、前記第二面に形成された電極パッドにそれぞれ導通されていることが好ましい。
【００１６】
受光側反射部材の第二面に、発光素子や受光素子の各端子に導通する電極パッドを設けたので、光電センサーを制御する回路基板との導通も容易に行うことができる。
【００１７】
本発明の光電センサーにおいて、前記支持部材は、前記リフレクター部と、このリフレクター部から互いに反対方向に延長された２本の梁部とを備えて構成され、前記一方の梁部には、前記発光素子の第一の端子に導通する配線と、前記受光素子の第一の端子に導通する配線とが設けられ、前記他方の梁部には、前記発光素子の第二の端子に導通する配線と、前記受光素子の第二の端子に導通する配線とが設けられていることが好ましい。
【００１８】
支持部材が２本の梁部を備えていれば、１本の梁部でリフレクター部を片持ち支持する場合に比べて、梁部の幅寸法を小さくできる。このため、梁部で遮断される反射光を少なくでき、様々な方向から平均して光を受光することができる。また、１本の梁部のみ設ける場合に比べて、リフレクター部の支持強度を容易に向上でき、リフレクター部の配置位置精度も容易に向上できる。
さらに、発光素子用の２本の配線を各梁部に分けて配線でき、受光素子用の２本の配線を各梁部に分けて配線できるので、配線作業が容易になる。特に、発光素子用の配線と、受光素子用の配線とは、梁部の異なる面に配線できるため、梁部の各面には１本の配線のみを形成すればよく、１つの面で配線を隣接させる必要がないため、配線作業を容易に行うことができる。
【００１９】
本発明の光電センサーにおいて、前記支持部材は、前記リフレクター部と、このリフレクター部から延長された１本の梁部とを備えて構成され、前記梁部には、前記発光素子の第一の端子および第二の端子に導通する２本の配線と、前記受光素子の第一の端子および第二の端子に導通する２本の配線とが設けられていてもよい。
【００２０】
梁部が１本であれば、リフレクター部の周囲において１箇所のみに梁部が設けられ、それ以外の部分は空間にできる。このため、測定対象によって、反射光が殆ど無い場所が１箇所ある場合には、その方向に梁部を配置することで、検出精度を向上できる。
【００２１】
本発明の生体情報測定装置は、前記光電センサーと、前記光電センサーが組み込まれた装置本体とを備え、前記装置本体には、前記光電センサーの発光素子で発光された光と、前記受光素子で受光される光とが透過する窓が形成されていることを特徴とする。
【００２２】
本発明の生体情報測定装置によれば、発光素子からの光を、生体の検査部位に照射し、その反射光を受光素子で受光することで、脈拍数などの生体情報を測定できる。この生体情報の測定に、前記光電センサーを用いているので、検出感度を向上できる。
【図面の簡単な説明】
【００２３】
【図１】本発明の第１実施形態の生体情報測定装置を示す概略斜視図である。
【図２】第１実施形態の光電センサーを示す概略斜視図である。
【図３】光電センサーの断面図である。
【図４】光電センサーの分解斜視図である。
【図５】光電センサーの支持部材を示す斜視図である。
【図６】光電センサーの支持部材を示す斜視図である。
【図７】光電センサーの検出動作を説明する図である。
【図８】第２実施形態の光電センサーを示す概略斜視図である。
【図９】従来の光電センサーを示す概略斜視図である。
【図１０】従来の光電センサーを示す断面図である。
【発明を実施するための形態】
【００２４】
［第１実施形態］
以下、本発明に係る第１実施形態の光電センサーを備えた生体情報測定装置について、図面に基づいて説明する。
【００２５】
［生体情報測定装置の全体構成〕
図１は、第１実施形態の生体情報測定装置１の概略を示す斜視図であり、（Ａ）は、生体情報測定装置１の表面側、（Ｂ）は生体情報測定装置１の裏面側を示す図である。
生体情報測定装置１は、光を検査部位に照射してその反射光を検出することで、脈拍などの血管の状態を測定する装置である。具体的には、生体情報測定装置１は、図１に示すように、装置本体２と、装置本体２に接続されるバンド３を備えている。そして、このような生体情報測定装置１は、裏面を生体に密着させた状態でバンド３を締めることで生体に装着され、例えば２４時間血管の状態を監視、測定することが可能となる。
【００２６】
［装置本体の構成］
生体情報測定装置１の装置本体２の表面側には、図１（Ａ）に示すように、測定結果を示す表示部４が設けられ、装置本体２の側面には、生体情報測定装置１を操作するための操作部５が設けられている。また、装置本体２の裏面側には、ガラス製の窓６が形成され、この窓６の裏側（装置本体２内部側）に本発明の光電センサー１０が配置されている。
【００２７】
［光電センサー］
光電センサー１０は、図２〜図４に示すように、受光側反射部材２０と、支持部材３０と、支持部材３０に取り付けられた発光ダイオード（ＬＥＤ）からなる発光素子５０と、フォトダイオード（ＰＤ）からなる受光素子６０とを備えて構成されている。
【００２８】
［受光側反射部材］
受光側反射部材２０は、ポリフタルアミド（ＰＰＡ）等の合成樹脂で直方体状に構成されている。このため、受光側反射部材２０は、装置本体２の窓６側に配置される第一面２０１と、この第一面２０１に対向する第二面２０２と、４つの側面とを備える。
前記第一面２０１には凹面鏡部２１が形成されている。凹面鏡部２１は、半球面状の凹部に銀メッキなどの反射膜を成膜して反射率を高めたものである。
【００２９】
前記第一面２０１には、支持部材３０が配置される２本の凹溝２２、凹溝２３が形成されている。凹溝２２，２３は、凹面鏡部２１から互いに反対側に向かって延長され、各側面２０３，２０４に開口されている。
凹溝２２には、発光素子５０のカソード（第二の端子）に導通する配線２５と、受光素子６０のアノード（第一の端子）に導通する配線２６とが設けられている。
凹溝２３には、発光素子５０のアノード（第一の端子）に導通する配線２４と、受光素子６０のカソード（第二の端子）に導通する配線２７とが設けられている。
【００３０】
配線２５は、凹溝２２の上面、側面２０３、第二面２０２に配線され、第二面２０２に形成された電極パッド２５Ａに接続されている。
配線２４は、凹溝２３の上面、側面２０４、第二面２０２に配線され、第二面２０２に形成された電極パッド２４Ａに接続されている。
【００３１】
配線２６は、凹溝２２の上面、側面、第一面２０１、側面２０３、第二面２０２に配線され、第二面２０２に形成された電極パッド２６Ａに接続されている。
配線２７は、凹溝２３の上面、側面、第一面２０１、側面２０４、第二面２０２に配線され、第二面２０２に形成された電極パッド２７Ａに接続されている。
【００３２】
［支持部材］
支持部材３０は、受光側反射部材２０と同様にポリフタルアミド（ＰＰＡ）等の合成樹脂で構成されている。そして、支持部材３０は、図４〜図６に示すように、リフレクター部３１と、リフレクター部３１から互いに反対方向に延長された２本の梁部４１，梁部４２とを備えている。
【００３３】
［リフレクター部］
リフレクター部３１は、円板状に形成され、窓６側に向いた第一面３２と、第一面３２に対して反対側に設けられて受光側反射部材２０側に向いた第二面３３とを備えている。
【００３４】
第一面３２には、図６に示すように、窓６側に開口する凹部３４が形成されている。凹部３４は、球面状に形成された斜面部３４１と、平坦な底面部３４２とを備えている。
底面部３４２には、前記発光素子５０が接着されている。
【００３５】
第二面３３には、図５に示すように、受光素子６０のカソード用の電極パッド４７Ａが設けられ、この電極パッド４７Ａ上に受光素子６０が接着されている。
【００３６】
［梁部］
梁部４１、梁部４２は、受光側反射部材２０の凹溝２２、凹溝２３に配置され、後述するように、はんだや導電性接着剤によって固定されている。
梁部４１は、リフレクター部３１の第一面３２に連続する同一平面とされた第一面４１１と、第二面３３に連続する同一平面とされた第二面４１２とを備えている。
梁部４２は、リフレクター部３１の第一面３２に連続する同一平面とされた第一面４２１と、第二面３３に連続する同一平面とされた第二面４２２とを備えている。
【００３７】
梁部４１、４２には、図６に示すように、発光素子５０に導通される配線４５，４４が形成されている。
配線４５は、凹部３４の底面部３４２から、斜面部３４１、第一面３２、梁部４１の第一面４１１、梁部４１の端面４１３、梁部４１の第二面４１２まで形成されている。
同様に、配線４４は、凹部３４の底面部３４２から、斜面部３４１、第一面３２、梁部４２の第一面４２１、梁部４２の端面４２３、梁部４２の第二面４２２まで形成されている。
そして、配線４４は、ボンディングワイヤー５１を介して発光素子５０のアノードに接続され、配線４５は、ボンディングワイヤー５２を介して発光素子５０のカソードに接続されている。
【００３８】
また、梁部４１、４２には、図５に示すように、受光素子６０に導通される配線４６，４７が形成されている。
配線４６は、リフレクター部３１の第二面３３から梁部４１の第二面４１２まで形成されている。この配線４６は、ボンディングワイヤー６１を介して受光素子６０のアノードに接続されている。
配線４７は、リフレクター部３１の第二面３３の電極パッド４７Ａから梁部４２の第二面４２２まで形成されている。従って、配線４７は、電極パッド４７Ａを介して受光素子６０のカソードに接続されている。
【００３９】
［受光側反射部材と支持部材の接合構造］
受光側反射部材２０および支持部材３０は、図４にも示すように、各梁部４１、４２を凹溝２２、２３に配置して固定する。
この際、梁部４１の配線４５，４６が、凹溝２２の配線２５、２６に上下方向に重なるため、これらの配線間をはんだや導電性接着剤で接着することで、梁部４１が凹溝２２に固定される。
同様に、梁部４２の配線４４，４７が、凹溝２３の配線２４、２７に上下方向に重なるため、これらの配線間をはんだや導電性接着剤で接着することで、梁部４２が凹溝２３に固定される。
以上により、図２に示すように、リフレクター部３１が凹面鏡部２１の開口面の中心に配置された状態で、受光側反射部材２０および支持部材３０が固定される。
【００４０】
［光電センサーの製造工程］
次に、本発明の光電センサー１０の製造工程について説明する。
まず、支持部材３０に各配線４４〜４７を形成し、底面部３４２に発光素子５０を接着し、さらに、ボンディングワイヤー５１，５２で各配線４４，４５と発光素子５０の各端子を接続する。この際、ボンディングワイヤー５１，５２は、図３に示すように、凹部３４の高さ寸法内に納まるように配線され、第一面３２よりも突出しないように設けられている。
【００４１】
次に、支持部材３０の第二面３３の電極パッド４７Ａ上に、受光素子６０を導電性接着剤などを用いて固定する。次に、ボンディングワイヤー６１で配線４６と受光素子６０とを接続する。このボンディング時に、ボンディングワイヤー５１，５２が第一面３２から突出しないため、第一面３２をバックアップ装置に当接させてボンディング作業を行うことができ、ボンディング時に加わる加重を第一面３２の全面で支持する。
【００４２】
そして、凹面鏡部２１に反射膜をコーティングした受光側反射部材２０の各配線２４〜２７に、支持部材３０の梁部４１、４２の各配線４４〜４７をはんだや導電性接着剤で固定することで、光電センサー１０が完成する。
この光電センサー１０を、装置本体２内に組み込むことで生体情報測定装置１が完成する。
【００４３】
［生体情報測定装置による測定］
脈拍数などの生体情報を測定するには、まず、生体情報測定装置１を、生体の測定部位、例えば手首に装着し、図７に示すように、発光素子５０から窓６を介して光を照射する。すると、その光は、血管７部分で反射し、この反射光は、凹面鏡部２１で反射して受光素子６０で受光される。
そして、生体に照射された光は、血管７で部分的に吸収されるが、この血管７での吸収率は脈拍の影響で変化し、血管７での反射光量も変化する。このため、受光素子６０で受光される光の光量変化を検出することで、脈拍数を測定できる。
なお、凹面鏡部２１の開口は、支持部材３０が配置されている部分以外は空間であるため、窓６から入射する反射光の多くは、梁部４１、４２を通過することなく、凹面鏡部２１で反射されて受光素子６０で受光される。
【００４４】
［第１実施形態の作用効果］
本実施形態によれば、発光素子５０および受光素子６０を支持する支持部材３０を、リフレクター部３１および梁部４１、４２によって構成したので、従来のように、凹面鏡部２１の開口を、各素子を支持する基板で塞いだ場合に比べて、反射光が基板を透過する際の光量低下が無く、光電センサー１０の検出感度を向上できる。このため、生体情報測定装置１によれば脈拍数などの生体情報を高精度に検出することができる。
【００４５】
発光素子５０の配線４４，４５を、発光素子５０が取り付けられた凹部３４の底面部３４２まで延長して設けている。このため、発光素子５０の各端子（アノード、カソード）と、各配線４４，４５とを導通するボンディングワイヤー５１，５２は、凹部３４内に収めることができる。すなわち、ボンディングワイヤー５１，５２が、凹部３４の上面レベルである第一面３２のレベルから突出しないようにボンディングできる。
このため、受光素子６０のボンディングワイヤー６１を実装する際に、リフレクター部３１の第一面３２全体をバックアップ装置に当接させた状態で、ボンディングパッドを受光素子６０に押し付けて作業できる。このため、ボンディングパッドを押し付けた際に加わる加重を、リフレクター部３１の第一面３２全体で支持できる。これにより、発光素子５０と受光素子６０との各中心軸を、リフレクター部３１の第一面３２、第二面３３に直交するＺ軸上の同一軸にすることができる。
一方、図９に示すように、発光素子１２０のボンディングワイヤー１０３，１０４がリフレクター１１０を超えて設けられている場合には、ボンディングワイヤー１０３，１０４が干渉するため、リフレクター１１０の上面全体でバックアップすることができない。
そこで、図１０に示すように、受光素子１３０のボンディング接続工程で、受光素子１３０のボンディングパッドを押したときの加重は、リフレクター１１０においてボンディングワイヤー１０３，１０４が配置されていない周壁部分で受ける必要がある。このため、前記加重を受けるためのバックアップの位置は矢印１３１となり、バックアップ用の装置を手動で位置決めして配置しなければならない。
また、ボンディングパッドを押す位置も、矢印１３１と同軸の矢印１３２の位置となるため、受光素子１３０の中心軸と、発光素子１２０の中心軸とがずれ、光学的にかたよりが生じ、受光性能も低下するおそれがある。
これに対し、本願発明によれば、前述のとおり、リフレクター部３１の第一面３２全体でバックアップできるので、発光素子５０と受光素子６０との中心軸の同一のＺ軸に一致できる。このため、光電センサー１０は、光学的に偏りが無く、安定した受光を行うことができる光学系を実現できる。
【００４６】
さらに、発光素子５０や受光素子６０の実装時に、平面でバックアップできるので、従来のようにバックアップ用の装置を手動で位置決めする必要が無く、ボンディング作業を自動化でき、光電センサー１０の量産性も向上できる。
【００４７】
支持部材３０を受光側反射部材２０に固定する際に、各配線２４〜２７、４４〜４７を、はんだや導電性接着剤で導通しているので、各配線２４〜２７、４４〜４７を確実に導通できるとともに、支持部材３０を受光側反射部材２０に確実に固定でき、光電センサー１０を容易に組み立てて製造できる。
梁部４１、４２を受光側反射部材２０の凹溝２２、２３に配置しているので、受光側反射部材２０の第一面２０１から支持部材３０が突出しないように組み立てることができる。このため、光電センサー１０を生体情報測定装置１に容易に組み込むことができる。
【００４８】
受光側反射部材２０の第二面２０２に、発光素子５０や受光素子６０の各端子に導通する４つの電極パッド２４Ａ〜２７Ａを設けたので、光電センサー１０を制御する回路基板との導通も容易に行うことができる。
【００４９】
支持部材３０は２本の梁部４１、４２を備えているので、リフレクター部３１の位置を精度良く設定でき、リフレクター部３１の支持強度も容易に向上できる。また、１本の梁部でリフレクター部を片持ち支持する場合に比べて、梁部４１、４２の幅寸法を小さくできる。このため、梁部で遮断される反射光を少なくでき、様々な方向から平均して光を受光することができる。
【００５０】
２本の梁部４１、４２を設け、かつ、第一面４１１、４２１と、第二面４１２、４２２とに各配線４４〜４７を分けて配線しているので、梁部４１、４２の各面には１本の配線のみを形成すればよく、１つの面で配線を隣接させる必要がないため、配線作業を容易に行うことができる。
さらに、支持部材３０は、梁部４１、４２とリフレクター部３１とが直線状に並んでいるため、支持部材３０を製造する際に、複数の支持部材３０の各梁部４１同士、梁部４２同士を連結した状態で発光素子５０や受光素子６０を実装することもできるので、量産コストも低減できる。
【００５１】
［第２実施形態］
次に、本発明の第２実施形態の光電センサー１０Ａについて、図８を参照して説明する。光電センサー１０Ａは、受光側反射部材２０Ａと、支持部材３０Ａとを備える。
受光側反射部材２０Ａは、凹溝として１つの凹溝２２のみが形成されている点が前記受光側反射部材２０と相違する。
支持部材３０Ａは、梁部として１本の梁部４１のみが形成されている点が前記支持部材３０と相違する。
そして、凹溝２２および梁部４１が１つずつであるため、図８に示すように、各配線２４〜２７、４４〜４７もこれらの凹溝２２や梁部４１にまとめて設けられている。
【００５２】
このような第２実施形態においても、前記第１実施形態と同様の作用効果を奏する。
さらに、梁部４２が１本であるため、リフレクター部３１の周囲において１箇所のみに梁部４２が設けられ、それ以外の部分は空間にできる。このため、測定対象によって、反射光が殆ど無い場所が１箇所ある場合には、その方向に梁部４２を配置することで、検出精度を向上できる。
【００５３】
［実施形態の変形］
なお、本発明は前述の実施形態に限定されるものではなく、本発明の目的を達成できる範囲での変形、改良等は本発明に含まれるものである。
例えば、支持部材において、梁部は２本または１本に限らず、３本、あるいは４本以上でもよい。ただし、梁部の本数を少なくしたほうが、反射光量の低下を押さえることができる点で好ましい。
【００５４】
また、前記実施形態では、受光側反射部材２０の第二面２０２に各電極パッド２４Ａ〜２７Ａを配置していたが、回路基板との導通が可能であれば、側面２０３、２０４などに電極パッドを形成してもよい。各配線２４〜２７、４４〜４７も同様に前記実施形態の配置に限定されない。
また、受光側反射部材は直方体状に形成されたものに限らず、円柱状等の他の立体形状でもよい。さらに、リフレクター部３１は、凹面鏡部２１の開口の中心に位置するものに限らず、凹面鏡部２１の開口の中に配置されていればよい。
【００５５】
また、光電センサー１０や生体情報測定装置１は、脈拍数の検出に限らず、生体に対して光を照射し、その反射光で検出できる様々な生体情報の測定に利用できる。さらに、光電センサー１０は、生体情報以外の測定に利用してもよい。
【符号の説明】
【００５６】
１…生体情報測定装置、２…装置本体、６…窓、１０、１０Ａ…光電センサー、２０、２０Ａ…受光側反射部材、２１…凹面鏡部、２２、２３…凹溝、２４〜２７、４４〜４７…配線、２４Ａ〜２７Ａ…電極パッド、３０、３０Ａ…支持部材、３１…リフレクター部、３２…第一面、３３…第二面、３４…凹部、４１、４２…梁部、４７Ａ…電極パッド、５０…発光素子、５１、５２…ボンディングワイヤー、６０…受光素子、６１…ボンディングワイヤー、３４１…斜面部、３４２…底面部。
【図１】
2013184004.tif 000003
【図２】
2013184004.tif 000004
【図３】
2013184004.tif 000005
【図４】
2013184004.tif 000006
【図５】
2013184004.tif 000007
【図６】
2013184004.tif 000008
【図７】
2013184004.tif 000009
【図８】
2013184004.tif 000010
【図９】
2013184004.tif 000011
【図１０】
2013184004.tif 000012